(57)【要約】【課題】  ベース部に対向当接する支持部材の面、又は支持部材に対向するべース部の面に設けられる鉄板を、傾動微調整装置の一部として用いることにより製造工程を簡単にし、部品点数を減少させることができる卓上切断機の提供。【解決手段】  ターンテーブル２１の一部と支持部材４０の一部とは、互いに対向する平面である第１対向部、第２対向部をそれぞれ有しており、第１対向部、第２対向部はアルミニウムにより構成されている。第１対向部には、略板状をなし縁部に歯４４Ａを有する噛合部材４４が固定されている。支持部材４０には、一端、他端にそれぞれピニオン４６Ａとノブ４６Ｃとが設けられた軸部が回転可能に支承されており、ピニオン４６Ａは歯４４Ａに常時噛合する。ノブ４６Ｃを回転させることにより、支持部材４０及び丸鋸刃の傾動角度を微調整することができる。【選択図】図９
2006198867.tif 000002
【特許請求の範囲】
【請求項１】
加工部材を支持可能なベース部と、
切断刃を支持する切断部と、
該ベース部の上方で揺動軸を支点として該切断部を揺動可能に支持すると共に、該ベース部に傾動可能に支持される支持部材とを備え、
該切断部は、該支持部材が傾動されることにより該支持部材と共に傾動する卓上切断機であって、
該ベース部は、該支持部材に対向する第１対向部を有し、
該支持部材は、該第１対向部に対向する第２対向部を有し、
該第１対向部には、該支持部材の傾動に伴い該第２対向部が摺接すると共に該支持部材の傾動方向に沿って歯が形成された噛合部材が固定され、
該支持部材は、該支持部材に回動可能に支承されると共に該噛合部材の該歯と噛合するピニオンと、該ピニオンに連結されたノブとを備え、該ノブの回転により該ピニオンが回転して、該第２対向部が該噛合部材に対して摺動しながら該支持部材及び該切断部が該ベース部に対して傾動して、傾動角度を微調整可能とすることを特徴とする卓上切断機。
【請求項２】
該支持部材は、該支持部材に回転可能に支承された軸部を有し、該ピニオンは該軸部の一端に該軸部と同軸的に固設され、該ノブは該軸部の他端に該軸部と同軸的に固設され、該ピニオンと該ノブと該軸部とは一体回転することを特徴する請求項１記載の卓上切断機。
【請求項３】
加工部材を支持可能なベース部と、
切断刃を支持する切断部と、
該ベース部の上方で揺動軸を支点として該切断部を揺動可能に支持すると共に、該ベース部に傾動可能に支持される支持部材とを備え、
該切断部は、該支持部材が傾動されることにより該支持部材と共に傾動する卓上切断機であって、
該ベース部は、該支持部材に対向する第１対向部を有し、
該支持部材は、該第１対向部に対向する第２対向部を有し、
該第２対向部には、該支持部材の傾動に伴い該第１対向部が摺接すると共に該支持部材の傾動方向に沿って歯が形成された噛合部材が固定され、
該ベース部は、該ベース部に回動可能に支承されると共に該噛合部材の該歯と噛合するピニオンと、該ピニオンに連結されたノブとを備え、該ノブの回転により該ピニオンが回転して、該第１対向部が該噛合部材に対して摺動しながら該支持部材及び該切断部が該ベース部に対して傾動して、傾動角度を微調整可能とすることを特徴とする卓上切断機。
【請求項４】
該ベース部は、該ベース部に回転可能に支承された軸部を有し、該ピニオンは該軸部の一端に該軸部と同軸的に固設され、該ノブは該軸部の他端に該軸部と同軸的に固設され、該ピニオンと該ノブと該軸部とは一体回転することを特徴する請求項３記載の卓上切断機。
【請求項５】
該ベース部はベースとターンテーブルとを備え、該ターンテーブルは該ベース上に支持されて該ベースと共に該加工部材を支持し、該ターンテーブルは該ベースに対して回動可能であり、
該支持部材は該ターンテーブルに傾動可能に支持され、該ターンテーブルは該第１対向部を有していることを特徴とする請求項１乃至請求項４のいずれか一記載の卓上切断機。
【請求項６】
該噛合部材は、該第１対向部又は該第２対向部の該噛合部材に対する摺動を円滑化させる材料により構成されることを特徴とする請求項１乃至請求項５のいずれか一記載の卓上切断機。
【請求項７】
該第１対向部及び該第２対向部はアルミニウムにより構成され、該噛合部材は鉄により構成されることを特徴とする請求項１乃至請求項６のいずれか一記載の卓上切断機。
【請求項８】
該支持部材は、一端側において該ターンテーブルに支持され他端側には摺動支持部材を有し、該摺動支持部材に摺動可能に支持され該揺動軸に対して略直交する方向に移動可能なスライド部を備え、
該切断部は該スライド部に揺動可能に接続されることを特徴とする請求項５乃至請求項７のいずれか一に記載の卓上切断機。
【発明の詳細な説明】
【技術分野】
【０００１】
本発明は卓上切断機に関し、特に、ベース部上面に対して切断刃の側面を傾動可能な卓上切断機に関する。
【背景技術】
【０００２】
卓上切断機たる卓上丸鋸としては、被切断材を載置可能なベース部と、切断刃たる丸鋸刃を回転可能に支持する切断部と、丸鋸刃の回転軸方向とほぼ平行な揺動軸を支点として切断部を揺動可能に支持する支持部材とを有し、ベース部上面に対して支持部材及び丸鋸刃側面を傾動可能に支持部材とベース部とが連結されている構成のものが従来より知られている。このような構成の卓上切断機は、例えば特開平８−３３６８０２号公報（特許文献１）に記載されている。
【０００３】
上述の構成の卓上切断機では、支持部材とベース部とは互いに対向当接し、丸鋸刃を傾動しているときには、支持部材とベース部とは互いに摺動する。支持部材とベース部とはそれぞれアルミダイカスト製とされる場合があり、この場合には、ベース部に対向当接する支持部材の面、又は支持部材に対向するべース部の面に、鉄板が設けられる。
【０００４】
鉄板が設けられていることにより、アルミダイカスト製の支持部材とベース部とが互いに直接摺動せず、アルミダイカスト製の支持部材又はアルミダイカスト製のベース部と、当該鉄板とが摺動し、それぞれアルミダイカスト製の支持部材とベース部とが互いに摺動することにより摺動当接面が粗れることを防止することができる。
【特許文献１】特開平８−３３６８０２号公報
【発明の開示】
【発明が解決しようとする課題】
【０００５】
しかし、前述の従来の卓上切断機では、その製造工程において、ベース部に対向当接する支持部材の面、又は支持部材に対向するべース部の面に、当該摺動当接面が粗れることを防止するために上述のように鉄板を設ける工程を行っていた。このため、卓上切断機の製造工程が複雑になっており、また、部品点数が多くなっていた。
【０００６】
そこで、本発明は、ベース部に対向当接する支持部材の面、又は支持部材に対向するべース部の面に設けられる鉄板を、傾動微調整装置の一部として用いることにより製造工程を簡単にし、部品点数を減少させることができる卓上切断機を提供することを目的とする。
【課題を解決するための手段】
【０００７】
上記目的を達成するために、本発明は、加工部材を支持可能なベース部と、切断刃を支持する切断部と、該ベース部の上方で揺動軸を支点として該切断部を揺動可能に支持すると共に、該ベース部に傾動可能に支持される支持部材とを備え、該切断部は、該支持部材が傾動されることにより該支持部材と共に傾動する卓上切断機であって、該ベース部は、該支持部材に対向する第１対向部を有し、該支持部材は、該第１対向部に対向する第２対向部を有し、該第１対向部には、該支持部材の傾動に伴い該第２対向部が摺接すると共に該支持部材の傾動方向に沿って歯が形成された噛合部材が固定され、該支持部材は、該支持部材に回動可能に支承されると共に該噛合部材の該歯と噛合するピニオンと、該ピニオンに連結されたノブとを備え、該ノブの回転により該ピニオンが回転して、該第２対向部が該噛合部材に対して摺動しながら該支持部材及び該切断部が該ベース部に対して傾動して、傾動角度を微調整可能とする卓上切断機を提供している。
【０００８】
ここで、該支持部材は、該支持部材に回転可能に支承された軸部を有し、該ピニオンは該軸部の一端に該軸部と同軸的に固設され、該ノブは該軸部の他端に該軸部と同軸的に固設され、該ピニオンと該ノブと該軸部とは一体回転することが好ましい。
【０００９】
また、本発明は、加工部材を支持可能なベース部と、切断刃を支持する切断部と、該ベース部の上方で揺動軸を支点として該切断部を揺動可能に支持すると共に、該ベース部に傾動可能に支持される支持部材とを備え、該切断部は、該支持部材が傾動されることにより該支持部材と共に傾動する卓上切断機であって、該ベース部は、該支持部材に対向する第１対向部を有し、該支持部材は、該第１対向部に対向する第２対向部を有し、該第２対向部には、該支持部材の傾動に伴い該第１対向部が摺接すると共に該支持部材の傾動方向に沿って歯が形成された噛合部材が固定され、該ベース部は、該ベース部に回動可能に支承されると共に該噛合部材の該歯と噛合するピニオンと、該ピニオンに連結されたノブとを備え、該ノブの回転により該ピニオンが回転して、該第１対向部が該噛合部材に対して摺動しながら該支持部材及び該切断部が該ベース部に対して傾動して、傾動角度を微調整可能とする卓上切断機を提供している。
【００１０】
ここで、該ベース部は、該ベース部に回転可能に支承された軸部を有し、該ピニオンは該軸部の一端に該軸部と同軸的に固設され、該ノブは該軸部の他端に該軸部と同軸的に固設され、該ピニオンと該ノブと該軸部とは一体回転することが好ましい。
【００１１】
また、該ベース部はベースとターンテーブルとを備え、該ターンテーブルは該ベース上に支持されて該ベースと共に該加工部材を支持し、該ターンテーブルは該ベースに対して回動可能であり、該支持部材は該ターンテーブルに傾動可能に支持され、該ターンテーブルは該第１対向部を有していることが好ましい。
【００１２】
また、該噛合部材は、該第１対向部又は該第２対向部の該噛合部材に対する摺動を円滑化させる材料により構成されることが好ましい。
【００１３】
また、該第１対向部及び該第２対向部はアルミニウムにより構成され、該噛合部材は鉄により構成されることが好ましい。
【００１４】
また、該支持部材は、一端側において該ターンテーブルに支持され他端側には摺動支持部材を有し、該摺動支持部材に摺動可能に支持され該揺動軸に対して略直交する方向に移動可能なスライド部を備え、該切断部は該スライド部に揺動可能に接続されることが好ましい。
【発明の効果】
【００１５】
請求項１記載の卓上切断機によれば、ベース部は、支持部に対向する第１対向部を有し、支持部は、第１対向部に対向する第２対向部を有し、第１対向部には、支持部の傾動に伴い第２対向部が摺接すると共に支持部の傾動方向に沿って歯が形成されたギヤ部材が固定され、支持部は、支持部に回動可能に支承されると共にギヤ部材の歯と噛合するピニオンと、ピニオンに連結されたノブとを備えているため、ノブの回転によりピニオンが回転して、第２対向部がギヤ部材に対して摺動しながら支持部材及び切断部がベース部に対して傾動して、傾動角度を微調整することができる。
【００１６】
請求項２記載の卓上切断機によれば、支持部は、支持部に回転可能に支承された軸部を有し、ピニオンは軸部の一端に軸部と同軸的に固設され、ノブは軸部の他端に軸部と同軸的に固設され、ピニオンとノブと軸部とは一体回転するため、傾動角度を微調整するための構成を簡単にすることができる。
【００１７】
請求項３記載の卓上切断機によれば、ベース部は、支持部に対向する第１対向部を有し、支持部は、第１対向部に対向する第２対向部を有し、第２対向部には、支持部の傾動に伴い第１対向部が摺接すると共に支持部の傾動方向に沿って歯が形成されたギヤ部材が固定され、ベース部は、ベース部に回動可能に支承されると共にギヤ部材の歯と噛合するピニオンと、ピニオンに連結されたノブとを備えているため、ノブの回転によりピニオンが回転して、第１対向部がギヤ部材に対して摺動しながら支持部材及び切断部がベース部に対して傾動して、傾動角度を微調整することができる。
【００１８】
請求項４記載の卓上切断機によれば、ベース部は、ベース部に回転可能に支承された軸部を有し、ピニオンは軸部の一端に軸部と同軸的に固設され、ノブは軸部の他端に軸部と同軸的に固設され、ピニオンとノブと軸部とは一体回転するため、傾動角度を微調整するための構成を簡単にすることができる。
【００１９】
請求項５記載の卓上切断機によれば、ベース部はベースとターンテーブルとを備え、ターンテーブルはベース上に支持されてベースと共に加工部材を支持し、ターンテーブルはベースに対して回動可能であり、支持部材はターンテーブルに傾動可能に支持されているため、ベースに対してターンテーブルを回動させることにより、ベースに対して切断刃を回動させることができる。
【００２０】
請求項６、請求項７記載の卓上切断機によれば、ギヤ部材は、第１対向部又は第２対向部のギヤ部材に対する摺動を円滑化させることができる。
【００２１】
請求項８記載の卓上切断機によれば、支持部は、一端側においてターンテーブルに支持され他端側には摺動支持部を有し、摺動支持部に摺動可能に支持され揺動軸に対して略直交する方向に移動可能なスライド部を備え、切断部はスライド部に揺動可能に接続されているため、切断刃を揺動軸に対して略直交する方向に移動させることにより被切断材たる加工部材を切断することができる。
【発明を実施するための最良の形態】
【００２２】
本発明の実施の形態による卓上切断機について図１乃至図１９に基づき説明する。以下の説明における前後左右上下については、説明の便宜上、図１の左方を前とし、図１の右方を後ろとし、図１の紙面の裏側から表側へ向かう方向、即ち、図３の右方を右とし、図１の紙面の表側から裏側へ向かう方向、即ち、図３の左方を左とし、図１の上方を上とし鉛直上方に一致し、図１の下方を下とし鉛直下方に一致する。
【００２３】
図１に示すように、卓上切断機１は具体的には卓上丸鋸であり、図示せぬ四角角柱状の木材である加工部材を支持可能なベース部１０と、駆動源である図示せぬモータと切断刃たる丸鋸刃３１とを有し図示せぬモータによって回転駆動される丸鋸刃３１を回転可能に支持する切断部３０と、ベース部１０に傾動可能に支持されベース部１０の上方で切断部３０を揺動可能に支持する支持部材４０とを有している。
【００２４】
ベース部１０は、床面等に設置されるベース１１と、ベース１１上でベース１１に対して水平回動可能にベース１１に支承された平面視略円形のターンテーブル２１とを備えている。ここで、ベース１１に対して回動されるターンテーブル２１の角度を回動角度という。ベース１１の上面１１Ａとターンテーブル２１の上面２１Ａとは面一であり、これら上面１１Ａ、２１Ａに図示せぬ加工部材が支承されて丸鋸刃３１により切断される。ベース１１には、ターンテーブル２１の回動方向に沿って円弧形状をなす図示せぬ円弧部がベース１１と一体に設けられており、また、ベース１１上面１１Ａから垂直に起立する左右一対のフェンス１２Ａ、１２Ｂ（図３等）が設けられている。卓上切断機１の前方に指向するフェンス１２Ａ、１２Ｂの面は押え面１２Ｃをなしており、押え面１２Ｃに図示せぬ加工部材の一面を突き当てた状態とすることにより加工部材を安定して支持し、切断作業を安定的に行うことができるように構成されている。
【００２５】
ターンテーブル２１には図１に示すようにノブ２２が設けられている。ノブ２２は、ベース１１の上面１１Ａ及びターンテーブル２１の上面２１Ａと並行に且つ図１３に示すようにターンテーブル２１の半径方向外方に延出して設けられている。ノブ２２はノブ軸２２Ａの一端に設けられており、ノブ軸２２Ａには図示せぬ雄ネジが設けられている。一方、ターンテーブル２１には、ノブ軸２２Ａと平行にターンテーブル２１の半径方向外方へ延出してフレーム２３が設けられている。フレーム２３には雌ネジが形成された図示せぬノブ軸支承部が設けられており、ノブ軸２２Ａの図示せぬ雄ネジは図示せぬノブ軸支承部に螺合し、ターンテーブル２１の半径方向へフレーム２３に対して螺進退可能に支承されている。
【００２６】
ノブ２２をターンテーブル２１の半径方向内方に螺進させ、ノブ２２が設けられているノブ軸２２Ａの一端に対する図示せぬ他端を、ベース１１と一体に設けられた図示せぬ円弧部に当接押圧させることにより、ターンテーブル２１の回動を規制することができるように構成されている。また、ターンテーブル２１の回動が規制されている状態から、ノブ２２をターンテーブル２１の半径方向外方に螺退させ、ノブ軸２２Ａの図示せぬ他端を、ベース１１の図示せぬ円弧部から離間させることにより、ターンテーブル２１が回動可能となる。また、卓上切断機１の作業者がターンテーブル２１を回動操作する際には、ノブ２２を握って回動することにより、ノブ２２とフレーム２３とターンテーブル２１とが一体回動するように構成されている。
【００２７】
また、ベース部１０には、ターンテーブル２１の回動位置を微調整する回動角度調整装置が設けられている。回動角度調整装置は、図１３に示すように、ターンテーブル２１の回動方向に沿ってベース１１の下面の周縁部に略円弧状に設けられたラックからなる噛合部１１Ｂと、ターンテーブル２１のフレーム２３に回転可能に支承されたノブ２４と、ターンテーブル２１のフレーム２３に回転可能に支承されたピニオン２５とを備えている。ノブ２４は、一端にベベルギヤ２４Ａを有し他端にノブ部２４Ｂを有しており、フレーム２３に設けられた軸受２３Ａによってフレーム２３に回転可能に支承されている。
【００２８】
ピニオン２５は、ピニオン軸２５Ａの一端にピニオン軸２５Ａと同軸的に回転可能に固定されており、ピニオン軸２５Ａの他端には、ベベルギヤ２５Ｂがピニオン軸２５Ａと同軸的に回転可能に固定されている。ピニオン軸２５Ａはターンテーブル２１の半径方向に指向しており、これに対してノブ２４の回転軸は、ピニオン軸２５Ａに垂直の方向に指向している。ピニオン軸２５Ａのベベルギヤ２５Ｂは、ノブ２４のベベルギヤ２４Ａと常時噛合しており、ノブ２４が回転することによりピニオン２５が常に回転するように構成されている。ピニオン軸２５Ａは、一端寄りの部分と他端寄りの部分とがそれぞれ軸受２３Ｂ、２３Ｃによって支承されることにより、ピニオン軸２５Ａが回転しているときに、回転軸心の位置が変わることを防止する。
【００２９】
ピニオン２５は、図１３に示すように、噛合部１１Ｂと常時噛合して係合している。噛合部１１Ｂはベース１１と一体に設けられている。このため、ノブ２４が回転させられるとピニオン２５がピニオン軸２５Ａと一体回転し、噛合部１１Ｂはベース１１と一体であることから回動せず、ターンテーブル２１が相対的に回動させられる。このように、ベース１１に対するターンテーブル２１の回動に連動させてノブ２４を常に回転させることができ、ノブ２４を回転させることによりターンテーブル２１の回動角度を調整することができる。
【００３０】
また、ベース部１０には、回動角度検出手段８１（図７等）が設けられている。回動角度検出手段８１としてはポテンショメータが用いられており、回動角度検出手段８１は、ターンテーブル２１の回転軸位置に配置されている。回動角度検出手段８１は、回動角度検出手段８１の図示せぬ本体に対して回転可能な図示せぬ回転軸を有しており、図示せぬ回転軸の一端はベース１１に固定されている。ベース１１上において、ベース１１に対してターンテーブル２１が図示せぬ回転軸を中心に回転したときに、これに伴い回動角度検出手段８１が回転し、後述のマイコンに入力される回動角度検出手段８１からの出力の電圧値が線形に変化するよう構成されている。このように電圧値が線形に変化することにより、回動角度検出手段８１はベース１１に対するターンテーブル２１の回転量を検出可能である。
【００３１】
支持部材４０は、図１に示すように、ターンテーブル２１の後端部に設けられており、ターンテーブル２１から略垂直に起立し、ターンテーブル２１と一体で回動可能である。支持部材４０は、ターンテーブル２１に固定され前後方向に延出する傾動軸２６によって図３の左右方向に切断部３０と一体で傾動可能に支承されている。このため、ターンテーブル２１上面２１Ａに対する支持部材４０の傾動角度と、切断部３０の丸鋸刃３１の側面の傾動角度とは同一となる。ここで、ベース１１上面１１Ａに対する支持部材４０の角度、即ち、及びベース１１上面１１Ａに対する丸鋸刃３１の側面の角度を傾動角度という。支持部材４０は、以下に示すクランプ機構によって左右方向への傾動をロック可能である。
【００３２】
図１に示すように、ターンテーブル２１の後端部には垂直に起立する突出部２１Ｂがターンテーブル２１と一体に設けられており、突出部２１Ｂの一部は、支持部材４０の後端面に支持部材４０から後方に延出して支持部材４０と一体に形成された突部４１によって、上方から覆われている。ターンテーブル２１の突出部２１Ｂと支持部材４０の突部４１との間には楔状のスライダ４２が設けられており、このスライダ４２には、支持部材４０の突部４１に上方から鉛直方向に挿通するクランプボルト４３が螺合している。ここで、クランプボルト４３の上端にはクランプレバー４３Ａが一体に固定されており、スライダ４２は図示せぬスプリングによって、常時アンクランプ方向である下方に付勢されている。
【００３３】
クランプレバー４３Ａを緩める方向に回せば、クランプボルト４３がクランプレバー４３Ａと共に回転しスライダ４２を下降させる。このことにより、スライダ４２による支持部材４０のクランプが解除されて支持部材４０が傾動軸２６を中心として左右に傾動可能となる。クランプレバー４３Ａを締める方向に回せば、クランプボルト４３がクランプレバー４３Ａと共に先ほどとは逆方向に回転してスライダ４２を図示せぬスプリングの付勢力に抗して上昇させる。このことにより、スライダ４２がターンテーブル２１の突出部２１Ｂと支持部材４０の突部４１との間に入込み、楔作用によってスライダ４２が支持部材４０の突部４１を後方へ押圧してクランプし、これによって支持部材４０の傾動がロックされ傾動不能となる。
【００３４】
ここで、図３に示すように、支持部材４０のベース部１０に近い基端部には、支持部材４０の傾斜角度を規制するための位置決め手段であるストッパ４０ａ、４０ｂが形成されている。一方、ターンテーブル２１の上面２１Ａであって支持部材４０の傾動によるストッパ４０ａ、４０ｂの移動軌跡上の位置には、ストッパボルト２１Ｃ、２１Ｄがターンテーブル上面２１Ａに対して垂直に螺着されている。この構成により、支持部材４０と共に切断部３０を傾動軸２６を中心として左右に傾動させてゆくと、所定の傾斜角度でストッパ４０ａ、４０ｂがストッパボルト２１Ｃ、２１Ｄの各頭部にそれぞれ当接し、これによって支持部材４０及び切断部３０の傾斜角度が規制されるように構成されている。
【００３５】
より具体的には、支持部材４０及び切断部３０が右方向に４５°傾斜したときストッパ４０ａがストッパボルト２１Ｃの頭部に当接し、支持部材４０及び切断部３０が左方向に４５°傾斜したときストッパ４０ｂがストッパボルト２１Ｄの頭部に当接するよう設定されている。このように、支持部材４０及び切断部３０は傾動軸２６を中心として、図１１、図１２に示すように左右に最大４５°ずつ傾動可能である。
【００３６】
また、ターンテーブル２１には、傾動角度検出手段８２（図７等）が設けられている。傾動角度検出手段８２としてはポテンショメータが用いられており、傾動角度検出手段８２は、ターンテーブル２１に固定された傾動軸２６の一端側に配置されている。傾動角度検出手段８２は傾動角度検出手段８２の図示せぬ本体に対して回転可能な図示せぬ回転軸を有しており、図示せぬ本体は支持部材４０に固定され、図示せぬ回転軸の一端は支持部材４０対して相対的に回転する傾動軸２６に固定されている。ターンテーブル２１に対して支持部材４０が傾動軸２６を中心として回転したときに傾動角度検出手段８２の図示せぬ回転軸が支持部材４０に対して相対回転し、後述のマイコンに入力される傾動角度検出手段８２の出力の電圧値が線形で変化するように構成されている。このように電圧値が線形に変化することにより、傾動角度検出手段８２はターンテーブル２１上面２１Ａに対する支持部材４０の傾動量を検出可能である。
【００３７】
ターンテーブル２１の突出部２１Ｂの一部と支持部材４０の一部とは、図１０に示すように、互いに対向する平面である第１対向部２１Ｅ、第２対向部４１Ａをそれぞれ有している。ターンテーブル２１の突出部２１Ｂと支持部材４０とはそれぞれアルミニウムにより構成されている。このため、第１対向部２１Ｅ、第２対向部４１Ａもアルミニウムにより構成されている。第１対向部２１Ｅには、図９、図１１、図１２に示すように、略板状の噛合部材４４が、ビス４５（図１０）によって第１対向部２１Ｅに固定されて設けられている。噛合部材４４は、図１１、図１２に示すように、支持部材４０の傾動に伴い第２対向部４１Ａが傾動する傾動方向に沿って略円弧状に設けられており、その縁部には、ラックをなす歯４４Ａが円弧状に設けられている。噛合部材４４には、支持部材４０の傾動に伴い第２対向部４１Ａが摺動する。噛合部材４４は鉄により構成されており、このため、噛合部材４４は、アルミニウム製の第１対向部２１Ｅ、第２対向部４１Ａが直接互いに摺動して表面が粗れることを防止し、噛合部材４４に対する第２対向部４１Ａの摺動を円滑化させることができる。噛合部材４４の図１０の左右方向の厚さは略２ｍｍ程度である。
【００３８】
支持部材４０の左側側面の部分であって第２対向部４１Ａ近傍の位置には、図１０に示すように、ピニオン４６Ａとノブ４６Ｃと軸部４６Ｂとが設けられている。軸部４６Ｂの一端にはピニオン４６Ａが軸部４６Ｂと同軸的に一体回転可能に固定されており、他端にはノブ４６Ｃが軸部４６Ｂと同軸的に、ネジ４７によって一体回転可能に固定されている。軸部４６Ｂは、支持部材４０の左側側面の部分に前後方向に指向して形成された孔４０ｃに挿入されネジ４８によって保持されることにより、支持部材４０に回転可能に支承されている。ピニオン４６Ａは、噛合部材４４の歯４４Ａに常時噛合している。このため、支持部材４０が切断部３０と共に傾動することに伴いノブ４６Ｃが回転するように構成されている。逆に、ノブ４６Ｃを回転させることにより、ピニオン４６Ａがノブ４６Ｃと一体回転して、第２対向部４１Ａが噛合部材４４に対して摺動しながら支持部材４０及び切断部３０がターンテーブル２１に対して傾動して、傾動角度を微調整することができる。
【００３９】
また、上述のように、ピニオン４６Ａは軸部４６Ｂの一端に軸部４６Ｂと同軸的に固設され、ノブ４６Ｃは軸部４６Ｂの他端に軸部４６Ｂと同軸的に固設されているため、傾動角度を微調整するための構成を簡単にすることができる。
【００４０】
支持部材４０は、図３に示すように、卓上切断機１の左右方向における中心部から右上方に向かって斜めに延出しており第１保持部をなし、延出端には第１摺動支持部４９が設けられている。第１摺動支持部４９には、図２、図１４、図１５等に示すように、前後方向に指向する２つの貫通孔４９ａ、４９ｂが形成されている。貫通孔４９ａ、４９ｂは、図１５に示すように、前後方向に垂直な面で切った断面が略円形状をしており、中空のパイプ５０、５１がそれぞれ合計で２本貫通している。
【００４１】
ここで、２本のパイプ５０、５１の両端は、図１４、図１８に示すように、一端がそれぞれ後述の第２端部保持部材５３によって覆われて保持され他端がそれぞれ第１端部保持部材５２によって覆われて保持されることにより略平行に配置されて一対をなし、この一対のパイプ５０、５１の軸心を含む仮想平面は、図３の左右方向に延出して設けられた後述の切断部３０の揺動軸３２に対して略直交する位置関係とされている。一対のパイプ５０、５１の一端側の部分で後述の第２摺動支持部３３の貫通孔３３ａ、３３ｂを貫通しており、他端側の部分で第１摺動支持部４９の貫通孔４９ａ、４９ｂを貫通している。
【００４２】
パイプ５０、５１の外径はそれぞれ貫通孔４９ａ、４９ｂの内径よりも小さく、一対のパイプ５０、５１は、それぞれ貫通孔４９ａ、４９ｂ内でその軸方向に摺動可能である。貫通孔４９ａ、４９ｂの指向する方向、即ち、パイプ５０、５１の摺動方向は、後述の揺動軸３２に対して略直交する方向に一致している。第１摺動支持部４９を貫通しているパイプ５０、５１の端部側と反対の端部側には、後述のように切断部３０が第２摺動支持部３３を介してパイプ５０、５１によって支持されている。一対のパイプ５０、５１は、スライド部に相当する。
【００４３】
換言すれば一対のパイプ５０、５１は、一端側において切断部３０を支持しており、他端側において第１摺動支持部４９によって周方向に覆われ摺動可能に支持されて平行に配置されている。貫通孔４９ａ、４９ｂは鉛直上下方向に配置されているため、上述のように、一対のパイプ５０、５１の軸心を含む仮想平面は後述の切断部３０の揺動方向と略平行な位置関係とされている。一対のパイプ５０、５１が第１摺動支持部４９に対して摺動することにより後述の揺動軸３２に対して略直交する方向に丸鋸刃３１が移動可能である。
【００４４】
貫通孔４９ａが形成されている第１摺動支持部４９の部分には、図１５に示すように、後述の切断部３０の揺動軸３２に略平行に且つ貫通孔４９ａの直径方向に向けて一対の貫通孔４９ｃ、４９ｃが形成されている。また、第１摺動支持部４９の鉛直方向最上部には、鉛直上方から下方へ向けて、即ち、一対のパイプ５０、５１の軸心を含む仮想平面上において後述の揺動軸３２に対して略直交する方向に向けて貫通孔４９ｄが形成されている。貫通孔４９ｃ、４９ｃ、貫通孔４９ｄにはそれぞれ雌ネジが螺刻されており、貫通孔４９ｄの雌ネジには第１ネジ５４が螺合している。
【００４５】
第１ネジ５４の一端には第１ノブ５４Ａが設けられており、卓上切断機１の作業者が第１ノブ５４Ａを回転させることにより、一対のパイプ５０、５１の軸心を含む仮想平面上において後述の揺動軸３２に対して略直交する方向に第１ネジ５４を螺進退可能である。第１ノブ５４Ａが設けられている第１ネジ５４の一端に対する他端は、図１５に示すように、貫通孔４９ａ内においてパイプ５０に当接可能であり、当接した状態でパイプ５０を押圧することにより、パイプ５０の第１摺動支持部４９に対する摺動を規制するようにパイプ５０に係合する。貫通孔４９ａは第１貫通孔に相当する。第１ネジ５４は第１係合部材に相当する。
【００４６】
貫通孔４９ａ内の貫通孔４９ｃ、４９ｃ近傍の位置であって第１摺動支持部４９とパイプ５０との間には、図１５に示すように、一対の摺動部材５５、５５が設けられている。一対の摺動部材５５、５５は、貫通孔４９ｃ、４９ｃに螺合する左右一対のボルト５６、５６によって保持されており、ボルト５６、５６を回転させて貫通孔４９ａの半径方向における摺動部材５５、５５の位置を調整することによって、後述のように、パイプ５０の貫通孔４９ａ内での図１５における左右方向の位置を微調整してターンテーブル２１上面２１Ａに対する丸鋸刃３１の傾動角度を微調整することができるように構成されている。
【００４７】
例えば、ボルト５６、５６を回転させて一対の摺動部材５５、５５を図１５の左方向に移動させると、後述のように第２摺動支持部３３がパイプ５１を支点として図３の左方向（図１６の左方向）に傾動し、これに伴って後述の第２摺動支持部３３に支持されている切断部３０もパイプ５１を支点として同方向に傾動する。
【００４８】
また、貫通孔４９ｂ内の第１摺動支持部４９とパイプ５１との間には、図１５に示すようにボールベアリング５７が嵌装されており、ボールベアリング５７はパイプ５１の第１摺動支持部４９に対する摺動を滑らかにすると共に貫通孔４９ｂ内において貫通孔４９ｂの半径方向におけるパイプ５１の移動を規制する。従って、パイプ５１はパイプ５０のように貫通孔４９ｂ内で貫通孔４９ｂの半径方向に移動することはできない。
【００４９】
丸鋸刃３１を備える切断部３０は、図４、図５に示すように、後述の丸鋸刃３１の回転軸３１Ａ（図３）に平行に配置された揺動軸３２を有している。切断部３０は、揺動軸３２を境として一端側は第２摺動支持部３３を備える第２保持部をなし、他端側に丸鋸刃３１等を備えている。第２摺動支持部３３には第１摺動支持部４９と同様に、図２、図１４、図１６等に示すように、前後方向に指向する２つの貫通孔３３ａ、３３ｂが形成されている。
【００５０】
貫通孔３３ａ、３３ｂは、図１６に示すように、前後方向に垂直な面で切った断面が略円形状をしており、一対のパイプ５０、５１がそれぞれ貫通している。パイプ５０、５１の外径はそれぞれ貫通孔３３ａ、３３ｂの内径よりも小さく、一対のパイプ５０、５１は、それぞれ貫通孔３３ａ、３３ｂ内でその軸方向に摺動可能である。貫通孔３３ａ、３３ｂの指向する方向、即ち、パイプ５０、５１の摺動方向は、揺動軸３２に対して略直交する方向に一致している。
【００５１】
一対のパイプ５０、５１は、一端側において第２摺動支持部３３を介して切断部３０を支持している。貫通孔３３ａ、３３ｂは鉛直上下方に配置されているため、一対のパイプ５０、５１の軸心を含む仮想平面は、丸鋸刃３１の揺動方向と略平行な位置関係とされている。一対のパイプ５０、５１に対して第２摺動支持部３３が摺動することにより、揺動軸３２に対して略直交する方向に丸鋸刃３１が移動可能である。
【００５２】
貫通孔３３ａが形成されている第２摺動支持部３３の部分には、図１６に示すように、後述の切断部３０の揺動軸３２に略平行に且つ貫通孔３３ａの左側からパイプ５０の軸心へ向けて貫通孔３３ｃが形成されている。また、第２摺動支持部３３の鉛直方向最上部には、鉛直上方から下方へ向けて、即ち、一対のパイプ５０、５１の軸心を含む仮想平面上において揺動軸３２に対して略直交する方向に向けて貫通孔３３ｄが形成されている。
【００５３】
貫通孔３３ｃ、貫通孔３３ｄにはそれぞれ雌ネジが螺刻されており、貫通孔３３ｄの雌ネジには第２ネジ３４が螺合している。第２ネジ３４の一端には第２ノブ３４Ａが設けられており、卓上切断機１の作業者が第２ノブ３４Ａを回転させることにより、一対のパイプ５０、５１の軸心を含む仮想平面上において揺動軸３２に対して略直交する方向に第２ネジ３４を螺進退可能である。第２ノブ３４Ａが設けられている第２ネジ３４の一端に対する他端は、図１６に示すように、貫通孔３３ａ内においてパイプ５０に当接可能であり、当接した状態でパイプ５０を押圧することにより、パイプ５０の第２摺動支持部３３に対する摺動を規制するようにパイプ５０に係合する。貫通孔３３ｄは第２貫通孔に相当する。第２ネジ３４は第２係合部材に相当する。
【００５４】
貫通孔３３ａ内であって第２摺動支持部３３とパイプ５０との間には、図１６に示すように、すべり軸受リング３５が嵌装されている。すべり軸受リング３５は、貫通孔３３ｃに螺合するネジ部材３５Ａによって保持されており、すべり軸受リング３５によってパイプ５０は貫通孔３３ａ内で貫通孔３３ａの半径方向に移動不能に構成されている。また、貫通孔３３ｂ内の第２摺動支持部３３とパイプ５１との間には、図１６に示すように、ボールベアリング３６が嵌装されており、ボールベアリング３６はパイプ５１の第２摺動支持部３３に対する摺動を滑らかにすると共に貫通孔３３ｂ内において貫通孔３３ｂの半径方向におけるパイプ５０、５１の移動を規制する。
【００５５】
このように、第２摺動支持部３３においては、貫通孔３３ａ、３３ｂ内においてパイプ５０、５１が貫通孔３３ａ、３３ｂの半径方向に移動不能となっており、且つ、第１摺動支持部４９においては、貫通孔４９ｂ内においてパイプ５１が貫通孔４９ｂの半径方向に移動不能となっているのに対して、第１摺動支持部４９の貫通孔４９ａ内においてパイプ５０が貫通孔４９ａの半径方向に移動可能となっている。このため、前述のように、第１摺動支持部４９のボルト５６、５６（図１５）を回転させて貫通孔４９ａの半径方向における摺動部材５５、５５の位置を調整することによって、パイプ５０の貫通孔４９ａ内での図１５における左右方向の位置を微調整して第２摺動支持部３３をパイプ５１を支点として傾動させ、ターンテーブル２１上面２１Ａに対する丸鋸刃３１の傾動角度を微調整することができるように構成されている。
【００５６】
また、第１ネジ５４、第２ネジ３４によるパイプ５０への押圧によって変形するパイプ５０の方向を丸鋸刃３１の略揺動方向、即ち、揺動軸３２に略垂直の方向に一致させることができる。このため、パイプ５０が変形することが、ターンテーブル２１上面２１Ａに対する丸鋸刃３１の垂直性に影響を与えず、ターンテーブル２１上面２１Ａに対する丸鋸刃３１の垂直性の低下を防止することができる。また、第１係合部材、第２係合部材をそれぞれ第１ネジ５４、第２ネジ３４により構成するようにしたため、第１係合部材、第２係合部材の構成を簡単にすることができる。
【００５７】
一対のパイプ５０、５１の両端を保持する第１端部保持部材５２、第２端部保持部材５３（図１４等）には、図１、図１７、図１８等に示すように、略板状のカバー５８が設けられている。カバー５８は、図３、図１８に示すように、一対のパイプ５０、５１の右側において一対のパイプ５０、５１の軸心を含む仮想平面と略平行な位置関係で第１端部保持部材５２と第２端部保持部材５３とを掛け渡すようにして配置されており、カバー５８の後部に位置する一端部は第１端部保持部材５２にネジ５８Ａによって固定され、カバー５８の前部に位置する他端部は第２端部保持部材５３にネジ５８Ｂによって固定されている。なお、図１８では、図の上方が図３の右方に相当する。カバー５８の右側の側面には、卓上切断機１のメーカー名や宣伝文等を一目で視認できるように大きく記載することができる。
【００５８】
カバー５８が、卓上切断機１の外側面に相当する一対のパイプ５０、５１の右側に設けられているため、誤って一対のパイプ５０、５１に他の物が衝突しないように一対のパイプ５０、５１を保護することができる。更に、一対のパイプ５０、５１には潤滑油を塗布することがあるが、この場合に、卓上切断機１の作業者が誤って潤滑油の塗布された一対のパイプ５０、５１を触ってしまうことを防止することができる。なお、図７、図８、図１４、図１５、図１６では、説明の便宜上カバー５８を省略して図示している。
【００５９】
丸鋸刃３１は、切断部３０において回転軸３１Ａ（図３）を中心に回転可能に支承されている。切断部３０の上部には、図１に示すようにハンドル３７が設けられており、卓上切断機１の作業者がハンドル３７を握って揺動軸３２を中心として切断部３０を揺動することができるように構成されている。切断部３０は、図示せぬリターンスプリングによって上方へと常時付勢されている。
【００６０】
このため、非切断時に卓上切断機１の作業者によって切断部３０が下方へ押圧されていないときには、図１、図２等に示すように、図示せぬストッパ機構によって最も鉛直上方に位置するように構成されている。切断部３０には、図示せぬ電源及び図示せぬモータが設けられており、図示せぬ電源から図示せぬモータへ電力が供給されて駆動するモータの駆動力により丸鋸刃３１が回転するように構成されている。
【００６１】
図１等に示すように、切断部３０には表示ユニット７０が設けられている。表示ユニット７０は、切断部３０の上部であってハンドル３７よりも後方の位置にフレキシブルアーム７１によって支持されている。フレキシブルアーム７１の一端は切断部３０に固定されており、他端は表示ユニット７０に固定されており、表示ユニット７０は、切断部３０に対して前後左右上下にユニバーサルに傾動移動可能である。
【００６２】
表示ユニット７０は外枠７０Ａを有しており、外枠７０Ａには、表示手段７３と、図示せぬマイコンや図示せぬ記憶手段等が載置された図示せぬ基板とが収納されている。表示手段７３としては、例えば表示面７２（図１９（ａ））としての液晶表示パネルを有する液晶表示部等が用いられている。図示せぬマイコンは制御手段に相当し、回動角度検出手段８１、傾動角度検出手段８２から信号を入力可能であり、夫々の信号に基づいて傾動、及び回動角度を演算し、表示手段７３に対し信号を出力し表示手段７３の表示面７２に傾動表示角度、及び回動表示角度をそれぞれ表示させることができるように構成されている。図示せぬ記憶手段は、図示せぬマイコンによる傾動角度及び回動角度の演算結果を記憶するように構成されている。表示ユニット７０の表示面７２は、図１９（ａ）に示すように、傾動角度と回動角度とを１列に表示可能である。表示面７２は、外枠７０Ａの一部を構成する透明カバー７０Ｂにより覆われている。フレキシブルアーム７１によって表示ユニット７０が切断部３０に対して前後左右上下にユニバーサルに傾動移動可能であるため、表示ユニット７０に設けられている表示面７２の法線は、切断部３０に対して可変である。
【００６３】
表示手段７３の表示面７２近傍の外枠７０Ａには、図１９（ａ）に示すように、傾動角度の表示部分に対応する箇所、回動角度の表示部分に対応する箇所にそれぞれ傾斜マーク（ＢＥＶＥＬ）、回動マーク（ＭＩＴＥＲ）が記載されている。このため表示面７２上に表示された傾動角度、回動角度の２種類の角度を区別するために、傾動角度、回動角度の値を表示する他に別途表示面７２上にこれらの表示を行う必要性をなくし、傾動角度の値、回動角度の値のみを１列に表示させて、表示手段７３を小型化することができるように構成されている。
【００６４】
また、表示手段７３外枠７０Ａ上であって表示面７２の近傍には、図１９（ａ）に示すように、リセットスイッチたる２つのリセットボタン７４、７５が設けられており、表示手段７３に表示されている角度である傾動角度と回動角度とを、それぞれ別個独立にリセットできるように構成されている。リセットボタン７４、７５が押圧されてリセットスイッチがオンになると、図示せぬマイコンにリセット信号が出力され、図示せぬマイコンは、リセットボタン７４、７５がオンにされたときに傾動表示角度、回動表示角度をそれぞれ０°とすることができるように構成されている。
【００６５】
ベース部１０に設けられた回動角度検出手段８１及び傾動角度検出手段８２と、切断部３０に設けられた図示せぬマイコンとはコード８３によって電気的に接続されている。コード８３は、図８に示すように、ベース部１０の回動角度検出手段８１及び傾動角度検出手段８２から支持部材４０内を通り、第１摺動支持部４９の外側に出て第１摺動支持部４９の左側を通り、一対のパイプ５０、５１の左側を経由して切断部３０内へと入り切断部３０内を通り、フレキシブルアーム７１内を通って表示ユニット７０内に入り図示せぬマイコンに接続されている。なお、図１〜図６や図９、図１１、図１２、図１４では、説明の便宜上コード８３を省略して図示している。
【００６６】
コード８３の一部であって一対のパイプ５０、５１の左側に位置している部分はカールコード８３Ａにより構成されている。図７、図８に示すように、パイプ５０の左側には、パイプ５０に略並行に配置された支持棒５９が設けられている。支持棒５９の両端は、それぞれ第１端部保持部材５２、第２端部保持部材５３に固定されており、カールコード８３Ａは、この支持棒５９に巻きつけられて支持されている。一対のパイプ５０、５１が第１摺動支持部４９に対して摺動することにより、又は、第２摺動支持部３３が一対のパイプ５０、５１に対して摺動することにより、切断部３０と支持部材４０との距離が短くなると、図７に示すように、支持棒５９の軸方向におけるカールコード８３Ａの長さが短くなり、切断部３０と支持部材４０との距離が長くなると、図８に示すように、支持棒５９の軸方向におけるカールコード８３Ａの長さが長くなるように構成されている。
【００６７】
図示せぬマイコンが図示せぬ基板上に載置され、表示手段７３及び図示せぬ基板は、切断部３０に設けられているため、ベース部１０の回動角度検出手段８１、傾動角度検出手段８２から出力される回動角度、傾動角度の信号をそれぞれ他の機種と共通化することにより、一の卓上切断機１に設けられている表示手段７３を他の機種へ簡単に交換することができ、また、一の卓上切断機１に設けられている表示手段７３を他の機種へ装着するように簡単に設計変更したりすることができる。
【００６８】
また、一対のパイプ５０、５１の位置におけるコード８３の部分はカールコード８３Ａにより構成されているため、切断部３０の揺動軸３２に垂直の方向への移動の際にカールコード８３Ａが伸縮し、切断部３０の移動を妨げずに切断部３０の図示せぬマイコンとベース部１０の回動角度検出手段８１とを電気的に接続することができる。
【００６９】
ターンテーブル２１を所望の角度に回動させて図示せぬ加工部材を切断する際に回動角度の微調整をするときには、先ず、ノブ２２（図１３）をターンテーブル２１の半径方向外方に螺退させ、ノブ軸２２Ａの他端をベース１１の図示せぬ円弧部から離間させることにより、ターンテーブル２１を回動可能とする。次に、卓上切断機１の作業者はノブ２２を握って、ターンテーブル２１を所望の回動角度近辺まで回動させる。次に、ノブ２４Ｂを回転させてターンテーブル２１の回動角度を微調整して所望の回動角度とする。そして最後に、ノブ２２をターンテーブル２１の半径方向内方に螺進させ、ノブ２２が設けられているノブ軸２２Ａの一端に対する他端を、ベース１１と一体に設けられた図示せぬ円弧部に当接押圧させることにより、ターンテーブル２１の回動を規制する。そして、丸鋸刃３１によって加工部材を切断する。
【００７０】
丸鋸刃３１を所望の角度に傾動させて図示せぬ加工部材を切断する際に傾動角度の微調整をするときには、先ず、クランプレバー４３Ａ（図１）を緩めることにより支持部材４０及び切断部３０の傾動のロックを解除する。次に、卓上切断機１の作業者はハンドル３７を握って、支持部材４０及び切断部３０を所望の傾動角度近辺まで傾動させる。次に、ノブ４６Ｃ（図１１）を回転させて支持部材４０及び切断部３０の傾動角度を微調整して所望の回動角度とする。そして最後に、クランプレバー４３Ａ（図１）を締めることにより支持部材４０及び切断部３０の傾動をロックする。そして、丸鋸刃３１によって加工部材を切断する。
【００７１】
幅の狭い加工部材（木材）をターンテーブル２１の上面２１Ａに対して直角に切断する際には、第１端部保持部材５２が支持部材４０の第１摺動支持部４９に当接するまで一対のパイプ５０、５１を前方へ移動させた後、第１ネジ５４の第１ノブ５４Ａを回転させてパイプ５０の第１摺動支持部４９に対する摺動を規制する。また、図２に示すように、第１摺動支持部４９に当接するまで第２端部保持部材５３を一対のパイプ５０、５１に沿って後方へと移動させ、第２ネジ３４の第２ノブ３４Ａを回転させて第２摺動支持部３３のパイプ５０に対する摺動を規制する。このことにより、支持部材４０と第２摺動支持部３３及び切断部３０とは、図３に示すように、垂直起立状態に保持されている。この状態で、揺動軸３２を中心として切断部３０を揺動させることにより、幅の狭い加工部材（木材）をターンテーブル２１の上面２１Ａに対して直角に切断することができる。
【００７２】
また、他の方法としては、第２端部保持部材５３が切断部３０の第２摺動支持部３３に当接するまで一対のパイプ５０、５１を後ろ方へ移動させた後、第２ネジ３４の第２ノブ３４Ａを回転させて第２摺動支持部３３のパイプ５０に対する摺動を規制する。また、図６に示すように、第１摺動支持部４９と第２摺動支持部３３とが互いに当接するまで一対のパイプ５０、５１を後方へと移動させ、第１ネジ５４の第１ノブ５４Ａを回転させてパイプ５０の第１摺動支持部４９に対する摺動を規制する。このことにより、支持部材４０と第２摺動支持部３３及び切断部３０とは、図３に示すように、垂直起立状態に保持されている。この状態で、揺動軸３２を中心として切断部３０を揺動させることにより、幅の狭い加工部材（木材）をターンテーブル２１の上面２１Ａに対して直角に切断することができる。
【００７３】
幅の広い加工部材（木材）をターンテーブル２１の上面２１Ａに対して直角に切断する際には、第１端部保持部材５２が支持部材４０の第１摺動支持部４９に当接するまで一対のパイプ５０、５１を前方へ移動させた後、第１ネジ５４の第１ノブ５４Ａを回転させてパイプ５０の第１摺動支持部４９に対する摺動を規制する。また、第２ネジ３４の第２ノブ３４Ａを回転させて第２摺動支持部３３のパイプ５０に対する摺動の規制を解除する。そして、図４に示すように、第２端部保持部材５３に当接するまで第２摺動支持部３３を一対のパイプ５０、５１に沿って前方へと移動させる。そして、丸鋸刃３１を回転駆動させながら、ハンドル３７を押し下げて、切断部３０を図示せぬスプリングの付勢力に抗して揺動軸３２を中心として図５に示すように下方へと揺動させる。
【００７４】
この状態のままハンドル３７を握って、切断部３０と第２摺動支持部３３とをパイプ５０、５１の軸方向に沿って揺動軸３２に垂直に後方へ移動させることにより、幅の狭い加工部材（木材）をターンテーブル２１の上面２１Ａに対して直角に切断することができる。そして、加工部材が切断された後にハンドル３７を押し下げる力を解除すると、切断部３０は、図示せぬスプリングの付勢力によって揺動軸３２を中心として上方へと揺動して、ハンドル３７を押下げる前の元の位置へと戻る。以後、同様の作業を繰り返すことによって加工部材を次々と連続的に切断することができる。加工部材の角度切り、傾斜切り及び複合切りも同様の要領で行うことができる。
【００７５】
また、支持部材４０の後方に壁や物等の障害物が無い場合には、以下のようにしても幅の広い加工部材（木材）を切断することができる。具体的には、第１ネジ５４の第１ノブ５４Ａを回転させてパイプ５０の第１摺動支持部４９に対する摺動の規制を解除する。そして、第１端部保持部材５２が支持部材４０の第１摺動支持部４９に当接するまで一対のパイプ５０、５１を前方へ移動させる。また、第２ネジ３４の第２ノブ３４Ａを回転させて第２摺動支持部３３のパイプ５０に対する摺動の規制を解除して、第２端部保持部材５３に当接するまで第２摺動支持部３３を一対のパイプ５０、５１に沿って前方へと移動させ、第２ネジ３４の第２ノブ３４Ａを回転させて第２摺動支持部３３のパイプ５０に対する摺動を規制する。そして、丸鋸刃３１を回転駆動させながら、ハンドル３７を押し下げて、切断部３０を図示せぬスプリングの付勢力に抗して揺動軸３２を中心として下方へと揺動させる。
【００７６】
この状態のままハンドル３７を握って、図６に示すように切断部３０と第２摺動支持部３３と一対のパイプ５０、５１とをパイプ５０、５１の軸方向に沿って揺動軸３２に垂直に後方へ移動させることにより、幅の狭い加工部材（木材）をターンテーブル２１の上面２１Ａに対して直角に切断することができる。そして、加工部材が切断された後にハンドル３７を押し下げる力を解除すると、切断部３０は、図示せぬスプリングの付勢力によって揺動軸３２を中心として上方へと揺動して、ハンドル３７を押下げる前の元の位置へと戻る。以後、同様の作業を繰り返すことによって加工部材を次々と連続的に切断することができる。加工部材の角度切り、傾斜切り及び複合切りも同様の要領で行うことができる。
【００７７】
上述のような切断部３０を揺動軸３２に垂直に移動させることにより加工部材を切断する構成の卓上切断機１では、図４に示す加工部材切断前の状態としたときに、切断部３０が卓上切断機１の作業者のすぐ手前にある。このときに、作業者のすぐ手前にある切断部３０に表示手段７３が設けられているため、回動角度、傾動角度の表示の視認性を高めることができる。更に、表示手段７３は、フレキシブルアーム７１により支持されており、切断部３０に対して前後左右上下にユニバーサルに傾動移動可能であるため、前述のように表示手段７３の表示面７２が可変であり、表示面７２の法線方向を卓上切断機１の作業者の方向へ向けることができる。このため、表示面７２上の回動角度、傾動得度の表示の視認性を極めて高くすることができる。
【００７８】
本発明による卓上切断機は、上述した実施の形態に限定されず、特許請求の範囲に記載した範囲で種々の変形や改良が可能である。例えば、本実施の形態による回動角度調整装置では、ピニオン２５及びノブ２４Ｂがターンテーブル２１のフレーム２３に回転可能に支承され、噛合部１１Ｂはベース１１の周縁部に設けられたが、この逆の構成として、図２０、図２１に示すように、ピニオン１２５及びノブ１２４Ｂがベース１１１に回転可能に支承され、噛合部１１１Ｂがテーブル１２１の回動方向に沿ってテーブル１２１の下面の略周縁部に略円弧状に設けられてもよい。
【００７９】
ベース１１１の右ベース１１１Ａには、図２０に示すように、ピニオン軸支承部１１１Ｃが設けられており、ピニオン軸支承部１１１Ｃは、一端にピニオン１２５が設けられ他端にノブ１２４Ｂが設けられたピニオン軸１２５Ａを支承している。噛合部１１１Ｂはターンテーブル１２１と一体に設けられている。ピニオン１２５は、噛合部１１１Ｂと常時噛合して係合しており、ノブ１２４Ｂが回転させられることにより、ピニオン１２５がピニオン軸１２５Ａと一体回転し、図２１に示すようにテーブル１２１がベース１１１に対して相対的に回動し、テーブル１２１の回動角度を調整することができる。このような構成とすることにより、ベース１１１に対するテーブル１２１の回動に連動させてノブ１２４Ｂを常に回転させることができ、テーブル１２１を仮固定せずにノブ１２４Ｂを回転させることによりテーブル１２１の回動角度の微調整を行うことができる。
【００８０】
また、本実施の形態では、一対のパイプ５０、５１の軸心を含む仮想平面は、丸鋸刃３１の揺動方向と略平行な位置関係にあったが、この方向に限られない。例えば、図２２、図２３に示すように、卓上切断機２０１の一対のパイプ２５０、２５１の軸心を含む仮想平面は、丸鋸刃２３１の揺動方向と略垂直な位置関係にあってもよい。
【００８１】
また、回動角度検出手段８１、傾動角度検出手段８２として図示せぬポテンショメータを用いたが、これに限られるものではなく、例えば回転角をカウントする既知のロータリーエンコーダ等を用いてもよい。
【００８２】
また、切断部３０が揺動軸３２に略垂直の方向に移動可能であったが同方向に移動不能であってもよい。
【００８３】
また、ターンテーブル２１の第１対向部２１Ｅには、略板状の噛合部材４４が固定されて設けられ、支持部材４０の第２対向部４１Ａ近傍の位置には、一端にピニオン４６Ａを有し他端にノブ４６Ｃを有する軸部４６Ｂが設けられていたが、これを互いに逆の位置とし、支持部材の第２対向部に略板状の噛合部材を固定して設け、ターンテーブルの第１対向部近傍の位置に、一端にピニオンを有し他端にノブを有する軸部を設けるようにしてもよい。また、ピニオンは軸部を介してノブと一体に構成されなくてもよく、ピニオンとノブが駆動連結されるようにしてもよい。
【００８４】
また、表示手段７３と基板とを有する表示ユニット７０の構成としなくてもよい。たとえば、フレキシブルアームの一端は切断部に固定されており、他端は表示手段に固定されて、表示手段がフレキシブルアームによって支持されて、表示手段が切断部に対して前後左右上下にユニバーサルに傾動移動可能とされてもよい。
【００８５】
また、第１摺動支持部４９とパイプ５１との間、第２摺動支持部３３とパイプ５１との間には、それぞれボールベアリング５７、３６が嵌装されていたが、ボールベアリングに限定されない。例えば、ボールベアリングに代えてオイル含浸メタルを用いて、第１摺動支持部に対してパイプを摺動可能としてもよい。
【００８６】
また、第１摺動支持部４９と第２摺動支持部３３との両方を備えていたが、第１摺動支持部、第２摺動支持部のいずれ一方のみを備え、切断部が揺動軸に略垂直の方向にスライド可能な構成としてもよい。
【図面の簡単な説明】
【００８７】
【図１】本発明の実施の形態による卓上切断機を示す右側面図。
【図２】本発明の実施の形態による卓上切断機を示す左側面図。
【図３】本発明の実施の形態による卓上切断機を示す正面図。
【図４】本発明の実施の形態による卓上切断機の切断部が、最も前方に位置した状態を示す左側面図。
【図５】本発明の実施の形態による卓上切断機の切断部が、最も前方に位置しているときに切断部が揺動した状態を示す左側面図。
【図６】本発明の実施の形態による卓上切断機の切断部が揺動したままの状態で最も後方に位置した状態を示す左側面図。
【図７】本発明の実施の形態による卓上切断機の切断部が最も後方に位置し、且つ一対のパイプが卓上切断機の後方に突出していない状態を示す左側面図。
【図８】本発明の実施の形態による卓上切断機の切断部が最も前方に位置しているときのカールコードの状態を示す左側面図。
【図９】本発明の実施の形態による卓上切断機の傾動微調整装置を示す背面概念図。
【図１０】本発明の実施の形態による卓上切断機の傾動微調整装置を示す要部断面図。
【図１１】本発明の実施の形態による卓上切断機が右側へ最も傾動した状態ときの傾動微調整装置を示す背面概念図。
【図１２】本発明の実施の形態による卓上切断機が左側へ最も傾動した状態ときの傾動微調整装置を示す背面概念図。
【図１３】本発明の実施の形態による卓上切断機の回動微調整装置を示す要部底面図。
【図１４】本発明の実施の形態による卓上切断機の切断部を揺動軸に略垂直の方向に移動させるための一対のパイプ等を示す断面図。
【図１５】本発明の実施の形態による卓上切断機の切断部を揺動軸に略垂直の方向に移動させるための一対のパイプと第１摺動支持部とを示す断面図。
【図１６】本発明の実施の形態による卓上切断機の切断部を揺動軸に略垂直の方向に移動させるための一対のパイプと第２摺動支持部とを示す断面図。
【図１７】本発明の実施の形態による卓上切断機のカバーを示す図であり、（ａ）は右側面図、（ｂ）は平面図、（ｃ）は左側面図。
【図１８】本発明の実施の形態による卓上切断機の一対のパイプの両端を支持する第１端部保持部材と第２端部保持部材とにカバーを装着した状態を示す平面図。
【図１９】本発明の実施の形態による卓上切断機の表示ユニットを示す図であり、（ａ）は正面図、（ｂ）は左側面図。
【図２０】本発明の実施の形態による卓上切断機の回動微調整装置の変形例を示す平面概念図。
【図２１】本発明の実施の形態による卓上切断機の回動微調整装置の変形例を示す平面概念図。
【図２２】本発明の実施の形態による卓上切断機の変形例を示す前方斜視図。
【図２３】本発明の実施の形態による卓上切断機の変形例を示す後方斜視図。
【符号の説明】
【００８８】
１・・・卓上切断機  １０・・・ベース部  １１・・・ベース  ２１・・・ターンテーブル  ２１Ｅ・・・第１対向部  ２４・・・ノブ  ２４Ｂ・・・ノブ軸  ２５、４６Ａ・・・ピニオン  ２６・・・傾動軸  ３０・・・切断部  ３１・・・丸鋸刃  ３２・・・揺動軸  ３３・・・第２摺動支持部  ３３ａ、３３ｂ、３３ｄ、４９ａ、４９ｂ、４９ｄ・・・貫通孔  ３４・・・第２ネジ  ３４Ａ・・・第２ノブ  ４０・・・支持部材  ４４・・・噛合部材  ４９・・・第１摺動支持部  ５０、５１・・・パイプ  ５２・・・第１端部保持部材  ５３・・・第２端部保持部材  ５４Ａ・・・第１ノブ  ５８・・・カバー  ５９・・・支持棒  ７０・・・表示ユニット  ７１・・・フレキシブルアーム  ７２・・・表示面  ７３・・・表示手段  ８１・・・回動角度検出手段  ８２・・・傾動角度検出手段  ８３Ａ・・・カールコード
【図１】
2006198867.tif 000003
【図２】
2006198867.tif 000004
【図３】
2006198867.tif 000005
【図４】
2006198867.tif 000006
【図５】
2006198867.tif 000007
【図６】
2006198867.tif 000008
【図７】
2006198867.tif 000009
【図８】
2006198867.tif 000010
【図９】
2006198867.tif 000011
【図１０】
2006198867.tif 000012
【図１１】
2006198867.tif 000013
【図１２】
2006198867.tif 000014
【図１３】
2006198867.tif 000015
【図１４】
2006198867.tif 000016
【図１５】
2006198867.tif 000017
【図１６】
2006198867.tif 000018
【図１７】
2006198867.tif 000019
【図１８】
2006198867.tif 000020
【図１９】
2006198867.tif 000021
【図２０】
2006198867.tif 000022
【図２１】
2006198867.tif 000023
【図２２】
2006198867.tif 000024
【図２３】
2006198867.tif 000025